(57)【要約】      （修正有）【課題】作業者が簡単にセットでき、且つヘルメットの内側にエアを確実に供給できると共に、作業に支障を生じ難いヘルメット用送風機を提供する。【解決手段】張出し部３の内側に配置された給気路２ｃと、該給気路２ｃとヘルメット２の内側２ｂとの間に形成された仕切壁４と、該仕切壁４の給気路２ｃ側に着脱可能に取り付けられたファン付きモータユニット２０と、を備え、仕切壁４には、前記ユニット２０の送気路２５に連通する通風孔５が形成され、仕切壁４と張出し部３の内面との間には、通風孔５を挟む左右一対の隔壁７が形成され、上記ユニット２０は、仕切壁４の給気路２ｃ側の表面に接するベース板２１の側辺部を仕切壁４の両側面に設けた凹溝間にスライドさせて挿入し、且つベース板２１の底辺部を上記仕切壁４の底辺に突設した止め片６上に載せることで、仕切壁４にヘルメット用送風機１とされている。【選択図】図１
0003150837.tif 000002
【実用新案登録請求の範囲】
【請求項１】
ほぼ半球形のヘルメット(２)の後頭部側に形成された張出し部(３)と、
上記張出し部(３)の内側に配置された給気路(２ｃ)と、
上記給気路(２ｃ)とヘルメット(２)の内側(２ｂ)との間に形成された仕切壁(４)と、
上記仕切壁(４)の給気路(２ｃ)側に着脱可能に取り付けられたファン付きモータユニット(２０，２０ｖ)と、を備え、
上記仕切壁(４)には、上記ファン付きモータユニット(２０，２０ｖ)の送気路(２５)に連通する通風孔(５)が形成され、
上記仕切壁(４)と張出し部(３)の内面との間には、上記通風孔(５)を挟む左右一対の隔壁(７)が形成されている、
ことを特徴とするヘルメット用送風機(１)。
【請求項２】
前記ファン付きモータユニット(２０，２０ｖ)は、前記仕切壁(４)の給気路(２ｃ)側の表面に接するベース板(２１)の両側辺(２２)を上記仕切壁(４)に設けた左右一対の凹溝(９)間にスライド可能に挿入し、且つ上記ベース板(２１)の底辺(２２ａ)を上記仕切壁(４)の底辺に横向きに突設した止め片(６)の上に載せることで、係る仕切壁(４)に対し装着可能としている、
請求項１に記載のヘルメット用送風機(１)。
【請求項３】
前記仕切壁(４)および前記ファン付きモータユニット(２０，２０ｖ)のベース板(２１)は、少なくとも一方が弾性変形可能である、
請求項１または２に記載のヘルメット用送風機(１)。
【請求項４】
前記ファン付きモータユニット(２０，２０ｖ)のモータ(Ｍ)は、脱着可能な端子(Ｊ)を両端に有するリード線(Ｌ)を介して、作業者のベルトに装着され、あるいは作業服のポケットに収納された電池ケース(１０)内の電池と導通可能とされている、
請求項１乃至３の何れか一項に記載のヘルメット用送風機(１)。
【請求項５】
前記モータ付きファンユニット(２０ｖ)は、そのベース板(２１)に取り付けた電池ケース(ｖｃ)に補助電源用あるいは主電源用の電池(Ｖ１，Ｖ２)を装入可能としている、
請求項１乃至４の何れか一項に記載のヘルメット用送風機(１)。
【考案の詳細な説明】
【技術分野】
【０００１】
本考案は、作業者が簡単にセットでき、且つヘルメットの内側にエアを確実に供給できると共に、作業に支障を生じ難いヘルメット用送風機に関する。
【背景技術】
【０００２】
屋内外の危険な作業現場や高温を伴う製造工程では、安全性を図るため、保安用ヘルメットの着用が規則などで義務付けられている。しかし、特に、夏季には発汗作用が著しいため、ヘルメットの内側が蒸れ易くなり、且つ汗を流れ落ちるため、適宜ヘルメットを外して汗拭きをせざるを得ない。このため、作業能率が低下したり、注意力が散漫となって、危険を避けるための判断力が低下する、などの問題がある。また、工場内では、工場用扇風機（工場扇）などにより、その付近に居る作業者は、ヘルメット内の蒸れをある程度解消できるが、移動を伴う作業者の場合、屋外は基より屋内でも、上記ヘルメット内の蒸れを防げなかった。
【０００３】
前記ヘルメット内の蒸れを防ぐため、例えば、ヘルメットの後頭部の外側に電池ケースおよび送風ファンのユニットを固定し、該ユニットの送風ダクトをヘルメットの内周面に沿って使用者の頭部との間に形成した風路内に臨ませた安全帽が提案さている（例えば、特許文献１参照）。
しかしながら、上記安全帽の場合、使用者は、自己の頭部にベルト状のヘッドバンド、複数のハンモック、および係るハンモックの頂部に設けた環ひもを装着し風路を形成すると共に、ヘルメットの後頭部の外側に電池ケースおよび送風ファンを有する前記ユニットを固定するという多大な手間が必要であった。そのため、作業者にとって準備作業が著しく繁雑であり、実用的ではなかった。
【先行技術文献】
【特許文献】
【０００４】
【特許文献１】特開２００３−１１９６１１号公報（第１〜１１頁、図１〜１３）
【考案の概要】
【考案が解決しようとする課題】
【０００５】
本考案は、背景技術において説明した問題点を解決し、作業者が簡単にセットでき、且つヘルメットの内側にエアを確実に供給できると共に、作業に支障を生じ難いヘルメット用送風機を提供する、ことを課題とする。
【課題を解決するための手段および考案の効果】
【０００６】
本考案は、前記課題を解決するため、ファン付きモータユニットをヘルメットの後頭部の内側に設けた仕切壁に対し簡単に着脱可能にセットする、ことに着想して成されたものである。
即ち、本考案のヘルメット用送風機（請求項１）は、ほぼ半球形のヘルメットの後頭部側に形成された張出し部と、係る張出し部の内側に配置された給気路と、係る給気路とヘルメットの内側との間に形成された仕切壁と、係る仕切壁の給気路側に着脱可能に取り付けられたファン付きモータユニットと、を備え、上記仕切壁には、上記ファン付きモータユニットの送気路に連通する通風孔が形成され、上記仕切壁と張出し部の内面との間には、上記通風孔を挟む左右一対の隔壁が形成されている、ことを特徴とする。
【０００７】
これによれば、前記ファン付きモータユニットを前記仕切壁に取り付けることで、上記ユニットの送気路が上記仕切壁の通風孔に連通するため、上記ユニットのモータを駆動してファンを回転させることにより、外気(エア)を張出し部の給気路から吸い込み、上記仕切壁の通風孔からヘルメットの内側に送風することができる。従って、作業者が簡単に上記ユニットをセットでき、且つヘルメットの内側にエアを確実に供給できるので、作業の安全および能率の向上を図ることが可能となる。
【０００８】
尚、前記張り出し部、仕切壁、および一対の隔壁は、前記ヘルメットの内側に当該ヘルメットと一体に射出成形した形態が推奨され、係る形態ではヘルメット自体の強度を高めることにも貢献できる。但し、予め成形されたほぼ半球形にヘルメットに対し、上記仕切壁などを接着などにより固定することも可能である。
また、前記張り出し部は、ヘルメットの後頭部側において、側面視が頂部側から周辺側に向かって外側に拡がる曲面形状を呈するが、係る形状に限定されない。
更に、前記ファン付きモータユニットは、例えば、インナーステータおよびアウターロータからなり、後者の外周部に固定した複数のファンにより、送風を成されしめる形態のほか、アウターステータおよびインナーロータからなり、後者の回転軸に連結された外周部に固定した複数のファンにより、送風を成されしめる形態も含まれる。
【０００９】
また、本考案には、前記ファン付きモータユニットは、前記仕切壁の給気路側の表面に接するベース板の両側辺を上記仕切壁に設けた左右一対の凹溝間にスライド可能に挿入し、且つ上記ベース板の底辺を上記仕切壁の底辺から横向きに突設した止め片の上に載せることで、係る仕切壁に対し装着可能としている、ヘルメット用送風機（請求項２）も含まれる。
これによれば、上記ファン付きモータユニットのベース板における両側辺を上記仕切壁に設けた左右一対の凹溝間にスライドした後、ベース板の底辺を上記仕切壁の底辺に横向きに突設した止め片（ストッパ）の上に載せることにより、上記ユニットを仕切壁の給気路側に容易に取り付ける（装着）ことができる。従って、セット作業が短時間で済み且つ簡単であるため、作業者の負担も軽減される。
尚、前記ユニットは、その送気路の上端部を前記一対の隔壁の底面に当接する(突き当てる)か、両者を相互に重複させることで、垂直方向の上限位置が設定される。
【００１０】
更に、本考案には、前記仕切壁および前記ファン付きモータユニットのベース板は、少なくとも一方が弾性変形可能である、ヘルメット用送風機（請求項３）も含まれる。
これによれば、前記のように、ベース板における両側辺を仕切壁に設けた左右一対の凹溝間にスライドした後、ベース板の底辺を上記仕切壁の底辺に突設した止め片の上に載せる際に、仕切壁およびベース板の何れか一方または双方を弾性変形させることで、仕切壁に対する前記ユニットの装着が簡単に行える。従って、作業者のセット作業を著しく短時間で且つスムーズに行うことが可能となる。
【００１１】
また、本考案には、前記ファン付きモータユニットのモータは、脱着可能な端子を両端に有するリード線を介して、作業者のベルトに装着され、あるいは作業服のポケットに収納された電池ケース内の電池と導通可能とされている、ヘルメット用送風機（請求項４）も含まれる。
これによれば、ベルトに吊り下げるか、作業服のポケットに収納する電池ケース内の電池により、前記ファン付きモータユニットのモータを駆動することで、外気をヘルメットの内側に連続した長時間にわたり、送風することが可能となる。しかも、ベルトにフックなどを介して吊り下げたり、ポケット内に入れるだけで良く、且つ両手の邪魔になりにくいため、作業に支障が生じる事態も皆無となる。
尚、前記モータのオン・オフは、前記電池ケースの本体、あるいは前記リード線の中間に設けたスイッチによって行われる。
また、前記電池ケース内に収容する電池には、大さな電圧・電流を供給可能なリチウム電池が推奨されるが、これに限定されるものではない。
【００１２】
加えて、本考案には、前記モータ付きファンユニットは、そのベース板に取り付けた電池ケースに補助電源用あるいは主電源用の電池を装入可能としている、ヘルメット用送風機（請求項５）も含まれる。
これによれば、上記モータ付きファンユニットを前記仕切壁に装着するだけで、外気をヘルメットの内側に送風することが可能となり、作業者の首周りや両手がフリーとなるため、所要の作業を一層容易且つ確実に行うことが可能となる。
尚、上記ユニット側の電池と前記電池ケースの電池と併用することも可能であり、大きな風量が欲しい場合には、電池ケース側の電池を使用し、そうでない場合には、ベース板側の電池を使用するように切り替え可能としても良い。
また、ベース板側の電池には、充電可能なニッケル水素電池が推奨される。
【図面の簡単な説明】
【００１３】
【図１】本考案のヘルメット用送風機の概略を示す垂直断面図。
【図２】上記送風機に用いるヘルメットの後頭部付近を透視的に示す部分斜視図。
【図３】上記送風機に用いるファン付きモータユニットなどの概略正面図。
【図４】上記ファン付きモータユニットの垂直断面図。
【図５】上記送風機のヘルメットの後頭部付近を示す部分垂直断面図。
【図６】上記送風機のヘルメットの後頭部付近を示す部分底面図。
【図７】上記ユニットの応用形態のファン付きモータユニットを示す正面図。
【図８】上記ファン付きモータユニットの底面図。
【考案を実施するための形態】
【００１４】
以下において、本考案を実施するための形態について説明する。
図１は、本考案による一形態のヘルメット用送風機１の概略を示す垂直断面図、図２は、上記送風機１に用いるヘルメット２の後頭部付近を透視的に示す部分斜視図である。
ヘルメット用送風機１は、図１，図２に示すように、ほぼ半球形のヘルメット２の後頭部側に形成された張出し部３と、係る張出し部３の内側に配置された給気路２ｃと、係る給気路２ｃとヘルメット２の内側２ｂとの間に形成された仕切壁４と、係る仕切壁４の給気路２ｃ側に着脱可能に取り付けられたファン付きモータユニット(以下、単にユニットと称する)２０と、を備えている。
上記ヘルメット２は、例えば、ＡＢＳ、ＰＣ、あるいはＦＲＰなどの強化プラスチックの射出成形材からなり、張り出し部３、ほぼ垂直な仕切壁４、および一対の隔壁７を一体に有している。このうち、張り出し部３は、側面視においてヘルメット２の外側２ａの頂部側から周辺部側に向かってカーブして突出する曲面を有し、水平断面がほぼ角形である。
【００１５】
尚、図１に示すように、ヘルメット２の内側２ｂと仕切壁４の(内)表面には、これらに沿って吸湿性の保護材Ｃを張設しても良い。係る保護材Ｃは、例えば、発泡スチロールからなり、次述する通風孔５に連通する貫通孔ｃｈを有している。
また、仕切壁４は、ヘルメット２を形作っている半球形体とほぼ同じ位置に形成され、弾性変形可能である。係る仕切壁４の上端には、前記ユニット２０の送気路２５に連通するほぼ四角形の通風孔５が形成されており、係る仕切壁４と張出し部３の内面との間には、上記通風孔５を挟んで左右一対の隔壁７が形成されている。係る隔壁７は、側面視がほぼ扇形を呈し、上記ユニット２０の送気路２５から送り出されたエアを通風孔５へ送風し且つ外部への漏れを防ぐものである。
更に、図２に示すように、仕切壁４における給気路２ｃ側の（外）表面の上部には、断面ほぼＬ字型の凸条８が左右一対対称に設けられ、係る凸条８と仕切壁４との間には、一対の凹溝９が対向して形成されている。更に、仕切壁４の底辺の中央部には、給気路２ｃ側に横向きに突出する止め片（ストッパ）６が設けられている。
【００１６】
図１に示すように、前記仕切壁４における給気路２ｃ側の（外）表面には、ファン付きモータユニット２０が着脱可能に取り付けられる。
係るユニット２０は、図３の正面図および図４の垂直断面図に示すように、薄肉で側面（後面）視が矩形（四角形）のベース板２１と、係るベース板２１の給気路２ｃ側に固定されたほぼ円筒形のケース２３と、係るケース２３から下方に延びたプラグＰとを備えている。ベース板２１は、例えば、透明または半透明のアクリル樹脂などからなり、弾性変形が可能であって、その左右一対の側辺２２は、前記仕切壁４における一対の凹溝９内にスライドして挿入され、その底辺２２ａは、仕切壁４の止め片６の上に載せられる。上記ケース２３は、点対称な一対の凸部２６を貫通するボルト・ナットあるいはネジ(何れも図示せず)により、ベース板２１の給気路２ｃ側に固定されている。係るケース２３における給気路２ｃ側の中心部には、円形の吸気孔２４が開口し、且つ当該ケース２３の上部には、上端に開口部（吹き出し口）を有する送気路２５が上向きで且つ接線上にして立設している。
【００１７】
図３，図４に示すように、前記ケース２３の内側には、モータＭおよび回転可能な多数（複数）のファンｆが配設されている。モータＭは、ケース２３から吸気孔２４の中心部に向かって立設する軸受け部ｊの周囲に円環状に配置した複数の電磁石２８からなるインナーステータと、軸受け部ｊに回転自在に支持された回転軸Ｓの先端に固定され、全体がほぼ円盤形で且つ断面がほぼハット形の旋回板２７、およびその円筒壁の内側にリング状に固定された複数の永久磁石２９とからなるアウターロータにより構成されている。旋回板２７の外周辺には、吸気孔２４側からケース２３の外周壁側に向かって緩くカーブした多数のファンｆが、全体として渦巻き状となるように固定されている。尚、上記モータＭは、アウターロータ型のブラシレスモータであるが、インナーロータ型のブラシモータとしても良い。
【００１８】
図３に示すように、上記モータＭ側の端子であるプラグＰには、リード線Ｌにおける一端側のジャック（端子）Ｊが脱着可能に接続され、係るリード線Ｌにおける他端側のジャックＪは、電池ケース１０側のプラグＰに脱着可能に接続される。係る電池ケース１０は、直方体の本体１２内に所望数のリチウム電池（図示せず）を内蔵しており、本体１２の上面に設けたスイッチ１４によって、上記モータＭに対し給電する。尚、電池ケース１０は、その本体１２を本送風機１を使用する作業者のベルトにフックなどを介して吊り下げて支持するか、あるいは作業着のポケット内に収納可能とされている。
尚、図３中において、上記リード線Ｌは、Ｘ−Ｘ間を省略されている。
【００１９】
ここで、前記ユニット２０を、前記ヘルメット２に取り付けるセット作業について、図５の部分垂直断面図、および図６の部分底面図に基づいて説明する。
先ず、図５，図６の左側に示すように、ベース板２１の上辺をヘルメット２内の仕切壁４における給気路２ｃ側の（外）表面に接触およびスライドさせつつ、やや斜め姿勢としたユニット２０を、図中の矢印イのように、張り出し部３の開口部から給気路２ｃ内に上向きに持ち上げる。すると、ベース板２１における左右一対の側辺２２が、仕切壁４における一対の凹溝９内にその下側から順次挿入される。
更に、上記ユニット２０を垂直姿勢に近づけつつ上向きに持ち上げると、図５の右側に示すように、ベース板２１の上辺および送気路２５の上端部が、ヘルメット２側の一対の隔壁７，７の底面に当接して停止する。これと同時に、図５右側の一点鎖線の枠内で示すように、仕切壁４の止め片６を含む底辺の中央部付近がヘルメット２の内側２ｂ寄りに一旦弾性変形する（矢印ロ）。そのため、ベース板２１の底辺２２ａは、図５，図６の右側に示すように、弾性変形中である仕切辺４の止め片６の先端を乗り越えた後、係る止め片６の上面に載せられる。
【００２０】
その結果、上記ユニット２０は、そのベース板２１の上辺、両側辺２２、および底辺２２ａが拘束されるため、仕切壁４の給気路２ｃ側の表面に取り付けられる。同時に、図５の右側に示すように、ユニット２０のケース２３における吸気孔２４は、給気路２ｃ内に開口すると共に、送気路２５上端の開口部が一対の隔壁７，７、および張り出し部３の内面に囲まれた側面視でほぼ扇形の閉塞空間を介して、仕切壁４の通風孔５と連通可能となる。
そして、ユニット２０のモータＭに、前記リード線Ｌを介して電池ケース１０側から通電して、当該モータＭを駆動すると、図１中の矢印Ａで示すように、外気（エア）Ａは、回転する多数の前記ファンｆによって、給気路２ｃ内に吸い込まれ、吸気孔２４からケース２３内に入り、上記ファンｆの圧力に押されて、送気路２５から上向きに送り出され、一対の隔壁７，７と張り出し部３との閉塞空間を経て、仕切壁４の通風孔５からヘルメット２の内側２ｂ内に吹き出される。
【００２１】
以上のようなヘルメット用送風機１によれば、前記ユニット２０を前記仕切壁４に取り付けることで、上記ユニット２０の送気路２５が仕切壁４の通風孔５に連通するため、上記ユニット２０のモータＭを駆動してファンｆを回転させることにより、外気Ａを張出し部３内の給気路２ｃから吸い込み、仕切壁４の通風孔５からヘルメット２の内側２ｂに送風することができる。しかも、ユニット２０のベース板２１における両側辺２２を仕切壁４に設けた左右一対の凹溝９間にスライドさせて挿入した後、送気路２５の上端を一対の隔壁７の底面に当接させ、且つベース板２１の底辺２２ａを弾性変形する仕切壁４の止め片６上に載せることで、上記ユニット２０を仕切壁４の給気路２ｃ側の表面に容易且つ迅速に取り付けることができる。従って、作業者が簡単な作業によって前記ユニット２０をヘルメット２内にセットでき、且つ係るヘルメット２の内側２ｂにエアＡを確実に供給できるので、作業の安全および能率の向上を図ることが可能となる。
尚、前記ユニット２０は、前述した操作と逆の操作を行うことで、ヘルメット２の仕切壁４から容易に取り外すことができる。
【００２２】
図７は、前記ユニット２０の応用形態のファン付きモータユニット（以下、単にユニットと称する）２０ｖを示す正面図、図８は、その底面図である。
ユニット２０ｖは、図７に示すように、前記同様のベース板２１、ケース２３、モータＭ、送気路２５などを備えている。ベース板２１は、図７，図８に示すように、左右一対の側面２１ｂが前記ヘルメット２の内側２ｂ寄りに緩く屈曲しており、係る一対の側面２１ｂの前記給気側２ｃの（外）表面には、ほぼ直方体で且つ箱形の電池ケースｖｃが固定されている。また、ベース板２１の底辺２２ａには、給気路側２ｃに延びた水平な支持板２１ａが固定されている。係る支持板２１ａには、上記一対の電池ケースｖｃに個別に装入されたニッケル水素電池（電池）Ｖ１，Ｖ２との間をリード線Ｌを介して直列に結線した回路中のスイッチｓｗが取り付けられている。
尚、ベース板２１の底辺２２ａは、図７，図８に示すように、透明な支持板２１ａから下向きに突設させず、係る支持板２１ａの底面の角部付近を流用しても良い。
【００２３】
以上のようなユニット２０ｖも、前記図５，図６で示した操作を行うことによって、ヘルメット２の前記仕切壁４に対し、簡単に取り付けたり、取り外すことができる。この場合、ヘルメット２側の仕切壁４は、ユニット２０ｖにおける一対の側面２１ｂを有するベース板２１と水平断面が相似形の形態にしておく。
上記ユニット２０ｖをヘルメット２の前記仕切壁４に取り付けた後、片手でスイッチｓｗを入力することで、図１に示したように、前記同様に外気Ａをヘルメット２の内側２ｂに吹き込むことができる。しかも、作業者の首周りや両手がフリーとなるため、所要の作業を一層容易且つ確実に行うことが可能となる。  
尚、ユニット２０ｖは、前記電池ケース１０の電池と併用することも可能であり、大きな風量が欲しい場合には、電池ケース１０側の電池を使用し、そうでない場合には、ユニット２０ｖ側の電池Ｖ１，Ｖ２を使用するようしても良い。
【００２４】
本考案は、以上において説明した各形態に限定されるものではない。
例えば、前記一対の隔壁７の底面、これらの間に張り出し部３の内面および仕切壁４の表面に、前記ユニット２０，２０ｖ側の送気路２５の開口部との間をシールするシール材（例えば、パッキングまたはフェルト）を配置しても良い。
また、送気路２５の開口部を含む上端側を上向きで且つ断面が若干小さな角筒部として連設し、係る角筒部を隔壁７の内面、これらの間に張り出し部３の内面および仕切壁４の表面との間に挿入する形態としても良い。係る形態の場合、上記のようなシール材を省略でき、且つユニット２０，２０ｖをセットする際の上限の位置決め（送気路２５の上端部の隔壁７の底面への当接）も不要となる。
更に、前記張り出し部３、仕切壁４、および通風孔５は、ヘルメット２の真後ろの位置に限らず、当該ヘルメット２の後頭部付近に位置していれば良い。
加えて、仕切壁４の底辺に突設する止め片６は、側面視の断面をほぼＵ字形とし、前記ユニット２０，２０ｖのベース板２１の底辺２２ａを受け入れる形態としても良い。
【産業上の利用可能性】
【００２５】
本考案のヘルメット用送風機は、建設現場や高温環境などにおいて従事する作業者の保安ヘルメットに利用され、特に夏季においてヘルメット内の蒸れやこれに伴う不快感を抑制することが可能となる。
【符号の説明】
【００２６】
１………………ヘルメット用送風機
２………………ヘルメット
２ｃ……………給気路
３………………張り出し部
４………………仕切壁
５………………通風孔
６………………止め片
７………………隔壁
９………………凹溝
１０……………電池ケース
２０，２０ｖ…ファン付きモータユニット
２１……………ベース板
２２……………ベース板の側辺
２２ａ…………ベース板の底辺
２５……………送気路
Ｍ………………モータ
ｆ………………ファン
Ｌ………………リード線
Ｊ………………ジャック(端子)
Ｖ１，Ｖ２……電池
ｖｃ……………電池ケース
【図１】
0003150837.tif 000003
【図２】
0003150837.tif 000004
【図３】
0003150837.tif 000005
【図４】
0003150837.tif 000006
【図５】
0003150837.tif 000007
【図６】
0003150837.tif 000008
【図７】
0003150837.tif 000009
【図８】
0003150837.tif 000010